(57)【要約】【課題】機器全体での消費電力を増加させることなく、しかも負荷回路の消費電力にかかわらず力率改善回路を安定動作させ、出力電圧を一定に保つことを目的とする。【解決手段】スイッチングトランス５０の２次側に電力回生回路を有しかつプラズマディスプレイの各部に電力を供給するスイッチング電源回路２８と、このスイッチング電源回路２８と交流電源１との間に設けた力率改善回路１４と、電源回路の制御を行う制御回路に電力を供給する補助電源回路４２とを備え、前記スイッチング電源回路２８の制御回路電圧を補助電源回路４２より供給するように構成した。【選択図】　図１
2004072814.tif 000002
【特許請求の範囲】
【請求項１】
スイッチングトランスの２次側に電力回生回路を有しかつプラズマディスプレイの各部に電力を供給するスイッチング電源回路と、このスイッチング電源回路のスイッチングトランスの１次側と交流電源との間に設けた力率改善回路と、電源回路の制御を行う制御回路に電力を供給する補助電源回路とを備え、前記スイッチング電源回路のスイッチングトランスの１次側の制御回路電圧を補助電源回路より供給するように構成したプラズマディスプレイ用電源回路。
【請求項２】
補助電源回路は、２次側に少なくとも１つの出力と１次側に少なくとも１つの出力を有するスイッチングトランスを有し、スイッチング電源回路は、前記補助電源回路のスイッチングトランスの１次側の出力の整流出力を駆動電源とする制御回路を有することを特徴とする請求項１に記載のプラズマディスプレイ用電源回路。
【請求項３】
力率改善回路は、スイッチング電源回路のスイッチングトランスの１次側の出力を駆動電源とする制御回路を有することを特徴とする請求項１に記載のプラズマディスプレイ用電源回路。
【請求項４】
補助電源回路のスイッチングトランスの１次側の出力をスイッチ回路を介してスイッチング電源回路の制御回路に駆動電圧を供給するように構成し、かつ前記スイッチ回路を補助電源回路により制御されるスイッチング素子によりオンオフするように構成したことを特徴とする請求項１に記載のプラズマディスプレイ用電源回路。
【請求項５】
補助電源回路のスイッチングトランスの１次側の出力をスイッチ回路を介してスイッチング電源回路の制御回路と力率改善回路の制御回路に駆動電圧を供給するように構成し、かつ前記スイッチ回路を補助電源回路により制御されるスイッチング素子によりオンオフするように構成したことを特徴とする請求項１に記載のプラズマディスプレイ用電源回路。
【発明の詳細な説明】
【０００１】
【発明の属する技術分野】
本発明は、直流入力をスイッチングして２次側にエネルギーを伝達するスイッチング電源回路を用いたプラズマディスプレイ用電源回路に関するものである。
【０００２】
【従来の技術】
近年、プラズマディスプレイ装置は、視認性に優れた表示パネル（薄型表示デバイス）として注目されており、高精細化および大画面化が進められている。しかしこの消費電力はこれまでのＣＲＴを用いたモニターなどに比べるとまだ大きいのが現状である。このためパネル駆動回路及び信号処理回路に電力を供給する電源回路における高調波電流対策はアクティブフィルタと呼ばれる力率改善回路（以降ＰＦＣと略す）が用いられることが多い。このＰＦＣの後段に複数のスイッチング電源回路を設け、プラズマディスプレイ装置の動作に必要な電力を供給している。
【０００３】
このようなプラズマディスプレイ用電源回路の一例を図１２に示している。
【０００４】
図１２に示すように、交流電源１には直流駆動リレー２を介してブリッジ整流素子３が接続されている。ここで直流駆動リレー２は初期状態では接点が開いているものである。
【０００５】
また、４は昇圧チョークコイルで、主巻線で励磁される副巻線を備えている。５は抵抗器、６は整流素子、７は平滑コンデンサ、８は制御回路、９はスイッチング素子、１０は整流素子、１１は平滑コンデンサ、１２，１３は抵抗器で、これらの昇圧チョークコイル４から抵抗器１３によりＰＦＣ１４が構成されている。このＰＦＣ１４では抵抗器１２，１３によりＰＦＣ出力を分圧し、その分圧電圧を制御回路８に入力し、スイッチング素子９の動作を制御することによりＰＦＣ１４の出力を安定化している。
【０００６】
１５はスイッチングトランスで、１次側にＰ１，Ｐ２の各巻線、２次側にＳ１，Ｓ２の各巻線を備えている。１６はスイッチングトランス１５のＰ１巻線に接続したスイッチング素子、１７はこのスイッチング素子１６の動作を制御する制御回路で、ＰＦＣ１４の出力電圧が起動抵抗１８を介して電源として供給されている。また、スイッチングトランス１５のＳ１巻線には、整流素子１９、基準電圧源２０、フォトカプラー２１、抵抗器２２および平滑用コンデンサ２３を介して負荷２４が接続され、Ｓ２巻線には整流素子２５、平滑用コンデンサ２６を介して負荷２７が接続されている。
【０００７】
そして、これらのスイッチングトランス１５から平滑用コンデンサ２６までによりスイッチング電源回路２８を構成している。ここで制御回路１７は、整流素子２９および平滑コンデンサ３０の整流平滑出力を駆動電源とし、スイッチングトランス１５のＰ２巻線を入力としてスイッチング素子１６の制御を行う。
【０００８】
また、３１はブリッジ整流素子、３２はスイッチングトランス、３３は平滑用コンデンサ、３４は抵抗器、３５は制御回路、３６は制御回路３５により制御されるスイッチング素子、３７はフォトカプラー、３８は整流素子、３９は平滑用コンデンサ、４０は抵抗器、４１は基準電圧源で、これらのスイッチングトランス３２から基準電圧源４１により補助電源回路４２を構成している。４３はマイクロコンピュータで、機器全体の制御を行っている。４４はスイッチング素子で、マイクロコンピュータ４３の出力により制御され、その出力が“Ｈ”レベルになることにより直流駆動リレー２の励磁巻線に電流を流し、その接点を接触させることによりブリッジ整流素子３１を介して１４のＰＦＣに入力電圧を供給する。
【０００９】
【発明が解決しようとする課題】
この図１２に示すように、ＰＦＣ１４の出力電圧から起動抵抗１８を介してスイッチング電源回路２８の制御回路１７の電源を作っており、ＰＦＣ１４の出力電圧が所定の値（およそ３８５Ｖ以上）になった状態で、スイッチング電源回路２８の制御回路１７の起動電圧に達する設定をしている。このため、図１３に示すように、図１２のＰＦＣ１４が起動してからスイッチング電源回路２８が起動するまでの期間ｔ１は、ＰＦＣ１４の負荷電流はほぼ無負荷状態になる。この状態でＰＦＣ１４がスイッチング動作を継続すると、出力電圧が上昇しすぎてしまうため、図１３のｔ２からｔ３付近を拡大した図１４に示すように、ＰＦＣ１４のスイッチングを間引きして間欠発振とし、これにより出力電圧の上昇を抑制する制御を行っている。
【００１０】
しかし、スイッチング電源回路２８が起動する直前までは、ＰＦＣ１４はこの間欠発振状態にあるため、スイッチング電源回路２８が起動し負荷が急増してもＰＦＣ１４の安定化制御が応答しきれず、その結果図１４に示す▲１▼のようにＰＦＣ１４の出力電圧が瞬間的に低下してしまうという課題があった。
【００１１】
このような起動時のＰＦＣ出力電圧の急激な低下を防ぐため、ＰＦＣ１４の出力に、前述のスイッチング電源回路２８と並列に抵抗を設け、ＰＦＣ１４が間欠発振動作に至らない程度の電力を消費させる方法があるが、この電力はスイッチング電源回路２８の負荷電力に関係なく定常的に消費するため、スイッチング電源回路２８の負荷電力と合算して機器の消費電力の増加につながる。このような方法を用いる機器が増加すると、発熱量の増加やエネルギー消費の増加となり、ひいては環境に対して悪影響を及ぼしてしまうという課題があった。
【００１２】
また、定常動作におけるＰＦＣ出力電圧の急激な低下は、負荷回路の異常を伴うことが多いため、ＰＤＰをテレビジョンなど民生用途に用いる場合、回路の破壊に伴う発煙や発火などの発生を最小限にとどめるため、この電圧低下を検出して電源回路の動作を停止させる保護回路を設けていることから、スイッチング電源回路２８の起動時に発生するＰＦＣ１４の出力電圧の瞬間的な低下を負荷回路の異常と判断してしまい、保護回路が動作してしまうという課題があった。
【００１３】
さらに、電源投入からＰＦＣ１４の起動までには、交流電源を整流した脈流出力とＰＦＣ１４の制御回路間に接続された起動抵抗１８と、ＰＦＣ１４の制御回路と並列に接続された平滑コンデンサ３０との時定数で決まる時間が必要となる。このため図１３に示すように、電源投入からＰＤＰの画面に出画できるまでに、電源投入からＰＦＣ１４の起動までの時間ｔ１と、ＰＦＣ１４の起動からＰＦＣ１４の後段のスイッチング電源回路２８の起動までの時間ｔ２と、前述のスイッチング電源回路２８が起動してから負荷が安定して供給できるまでの時間ｔ３とを合算した時間が費やされてしまい、出画が遅くなってしまうという課題があった。
【００１４】
本発明はこのような課題を解決し、機器全体での消費電力を増加させることなく、負荷回路の消費電力に関わらず、ＰＦＣを安定動作させ出力電圧を一定に保つことを目的とするものである。
【００１５】
【課題を解決するための手段】
上記目的を達成するために本発明のプラズマディスプレイパネル用電源回路は、ＰＦＣの後段に２次側に電力回生回路を有するスイッチング電源回路を備え、前記スイッチング電源回路の制御回路電源を前記補助電源回路より供給するように構成したものである。
【００１６】
【発明の実施の形態】
すなわち、本発明の請求項１記載の発明は、スイッチングトランスの２次側に電力回生回路を有しかつプラズマディスプレイの各部に電力を供給するスイッチング電源回路と、このスイッチング電源回路のスイッチングトランスの１次側と交流電源との間に設けた力率改善回路と、電源回路の制御を行う制御回路に電力を供給する補助電源回路とを備え、前記スイッチング電源回路のスイッチングトランスの１次側の制御回路電圧を補助電源回路より供給するように構成したものである。
【００１７】
また、請求項２に記載の発明は、請求項１において、補助電源回路は、２次側に少なくとも１つの出力と１次側に少なくとも１つの出力を有するスイッチングトランスを有し、スイッチング電源回路は、前記補助電源回路のスイッチングトランスの１次側の出力の整流出力を駆動電源とする制御回路を有することを特徴とする。
【００１８】
また、請求項３に記載の発明は、請求項１において、力率改善回路は、スイッチング電源回路のスイッチングトランスの１次側の出力を駆動電源とする制御回路を有することを特徴とする。
【００１９】
また、請求項４に記載の発明は、請求項１において、補助電源回路のスイッチングトランスの１次側の出力をスイッチ回路を介してスイッチング電源回路の制御回路に駆動電圧を供給するように構成し、かつ前記スイッチ回路を補助電源回路により制御されるスイッチング素子によりオンオフするように構成したことを特徴とする。
【００２０】
さらに、請求項５に記載の発明は、請求項１において、補助電源回路のスイッチングトランスの１次側の出力をスイッチ回路を介してスイッチング電源回路の制御回路と力率改善回路の制御回路に駆動電圧を供給するように構成し、かつ前記スイッチ回路を補助電源回路により制御されるスイッチング素子によりオンオフするように構成したことを特徴とする。
【００２１】
（実施の形態１）
図１に本発明の実施の形態１による電源回路の回路図の一例を示し、図２にこの電源回路の動作のタイムチャートを示す。なお、図１において、図１２と同一部分には同一番号を付している。
【００２２】
図１に示すように、交流電源１は直流駆動リレー２を介してブリッジ整流素子３に接続されている。ここで、直流駆動リレー２は初期状態では接点が開いているものとする。４は昇圧チョークコイルで、主巻線で励磁される副巻線を備えている。５は抵抗器、６は整流素子、７は平滑コンデンサ、８は制御回路、９はスイッチング素子、１０は整流素子、１１は平滑コンデンサ、１２，１３は抵抗器で、これらの昇圧チョークコイル４から抵抗器１３によりＰＦＣ１４が構成されている。５０はスイッチング電源回路２８のスイッチングトランスで、１次側にＰ１，Ｐ２の各巻線を、２次側にＳ１，Ｓ２の各巻線をそれぞれ備えており、Ｐ１巻線にスイッチング素子１６が接続されている。スイッチング素子１６の動作を制御する制御回路１７は、整流素子２９および平滑コンデンサ３０の整流平滑出力を駆動電源とし、スイッチングトランス５０のＰ２巻線を入力として、スイッチング素子１６の制御を行う。５１はスイッチングトランス５０の２次側のＳ１巻線に接続したスイッチング素子５２の動作を制御する制御回路で、この制御回路５１は、Ｓ２巻線出力を整流素子２５と平滑コンデンサ２６により整流平滑された出力を駆動電源とし、Ｓ２巻線出力および抵抗器５３と抵抗器５４との分圧電圧を入力としてスイッチング素子５２の制御を行い、スイッチングトランス５０を介して１次側から２次側に伝達される負荷電力のうち、２次側負荷回路で使用しない電力をスイッチングトランス５０を介して再び１次側に戻す電力回生を行っている。また、５５は補助電源回路４２のスイッチングトランスで、１次側にＰ１，Ｐ２の各巻線を備え、２次側にＳ１の巻線を備えている。そして、このスイッチングトランス５５の１次側のＰ２巻線は、前記スイッチング電源回路２８のスイッチングトランス５０のＰ２巻線とともに、整流素子２９および平滑コンデンサ３０を介して、スイッチング電源回路２８の制御回路１７に接続されており、制御回路１７は、スイッチング電源回路２８の１次側巻線と補助電源回路４２の１次側巻線とから供給される電圧により動作し、スイッチング素子１６を制御する。
【００２３】
すなわち、本発明においては、ＰＦＣ１４に接続されるスイッチング電源回路２８は、２次側にスイッチング素子５２、制御回路５１、抵抗器５３，５４からなる電力回生回路を有し、かつ１次側電力の制御を行う制御回路１７に補助電源回路４２の１次側巻線の出力を整流平滑した出力を供給するように構成している。
【００２４】
次に、スイッチング電源回路２８の動作について、図３を用いて説明する。
【００２５】
図１において、１次側の制御回路１７は、一般的な自励フライバック方式のスイッチング電源回路の制御回路で、２次側出力巻線であるＳ１，Ｓ２巻線と同じ極性に巻かれている１次側バイアス巻線であるＰ２巻線の出力電圧を監視し、スイッチングトランス５０の磁束のリセットを検出して１次側のスイッチング素子１６をオンさせるオン信号を出力する。
【００２６】
自励フライバック方式のスイッチング電源回路は、１次側巻線の巻線数をＮｐ、２次側巻線の巻線数をＮｓ、１次側入力電圧をＶ１、１次側巻線のインダクタンスをＬｐ、２次側巻線出力をＶ２、２次側巻線のインダクタンスをＬｓ、１次側スイッチング素子のオン時間をｔｏｎ、１次側スイッチング素子のオフ時間をｔｏｆｆとすると、次の式１を保って動作している。
【００２７】
Ｎｐ／Ｎｓ・Ｖ１／Ｌｐ×ｔｏｎ＝Ｖ２／Ｌｓ×ｔｏｆｆ…（式１）
また、１次側巻線の電流は、次の式２で表される。
【００２８】
ｉ１＝Ｖ１／Ｌｐ×ｔ　　　　　　…（式２）
また、１次側巻線の電流のピーク値ｉ１ｐは次の式３で表される。
【００２９】
ｉ１ｐ＝Ｖ１／Ｌｐ×ｔｏｎ　　　…（式３）
また、スイッチングのデューティδは次の式４で表される。
【００３０】
δ＝ｔｏｎ／（ｔｏｎ＋ｔｏｆｆ）…（式４）
そして、この式４を変形すると、ｔｏｆｆは次の式５で表される。
【００３１】
ｔｏｆｆ＝ｔｏｎ×（１−δ）／δ…（式５）
図１のように、２次側に電力回生回路を備えた自励フライバック方式のスイッチング電源回路２８は、制御回路１７により決められた最大オン時間ｔｏｎでオフした後、スイッチングトランス５０のＳ１，Ｓ２巻線からは立ち上がりピークとなる三角波形状の電流が流れる。そして、制御回路５１は、スイッチング素子５２をオンする信号を出力し、出力電圧が設定値以上になるか、上記式２を変形して得られた式３で定まる時間ｔｏｆｆを経過することにより、スイッチング素子５２をオフする制御を行う。負荷変動に対してはオン時間が一定のため、図３に示すように１次側からスイッチングによりスイッチングトランス５０を介して２次側に伝達するエネルギーａと、２次側で余ったエネルギーを１次側に戻すエネルギーｂとの面積を変えることで対応している。負荷電力が小さい場合は１次側のａとｂとが、また２次側のＡとＢとがほぼ同じ面積となるが、負荷電力が大きくなるとａ及びＡの面積が大きくなり、エネルギーを戻すｂ及びＢの面積が小さくなる。その結果、負荷が大きい場合は、スイッチングトランス５０の１次側、２次側の電流ＩＤ１及びＩＤ２が破線のように＋側に平行移動した波形となる。なお、ＶＤＳ１、ＶＤＳ２はスイッチングトランス５０の１次側、２次側の電圧波形を示している。
【００３２】
このように電力回生回路を備えたスイッチング電源回路２８は、負荷電力の大きさに関係なく、スイッチングトランス５０の１次側と２次側との間で電力のやりとりが行われており、これによりスイッチングトランス５０内での磁束変化に伴って生じる鉄損、巻線に電流が流れることによって生じる銅損、スイッチングデバイスのオン抵抗及び駆動電力が存在し、これらが定常損失となっている。この定常損失により、ＰＦＣ１４の出力はスイッチングを継続できるようになるため、安定して動作させることができる。
【００３３】
また、ＰＦＣ１４の出力電圧が所定の電圧値に安定する前段階でも、補助電源回路４２から制御回路電圧を供給することにより、電力回生回路を備えたスイッチング電源回路２８がＰＦＣ１４の出力電圧に比例した電力を供給できるため、図２に示すようにＰＦＣ１４のスイッチング信号ＰＦＣＳＷが出力され始めてから、スイッチング電源回路２８のスイッチング信号ＦＬＢＳＷが出力されるまでの時間ｔ２に相当する時間がなくなるため、電源投入から負荷回路の起動までの時間を短縮することができる。
【００３４】
（実施の形態２）
次に、本発明の実施の形態２について、図４、図５を用いて説明する。本実施の形態２においては、ＰＦＣ１４に補助巻線を有さないチョークコイル５６を用いたもので、スイッチングトランス５０の１次側のＰ２巻線の出力を制御回路１７の入力に接続するとともに、ＰＦＣ１４の整流素子６のアノードに接続している。
【００３５】
この構成を用いることにより、図５のようにＰＦＣ１４の制御回路８の駆動電源ＰＦＣＶｃｃに、抵抗器５を介して供給される電圧にスイッチング電源回路２８が動作し始めることによって生じる１次側出力巻線の電圧が加えられることにより、ＰＦＣＶｃｃ起動までの時間ｔ１が実施の形態１の場合に比べて短くなる。その結果、ＰＦＣ１４のスイッチング信号ＰＦＣＳＷが早く出力され、リレー制御信号ＲＬＯＮが“Ｈ”になってからＰＦＣ出力が安定するまでの時間ｔ１＋ｔ３は実施の形態１のｔ１＋ｔ３に比べて短くなる。ＰＦＣ１４が起動した後の動作は上記実施の形態１と同じ動作となる。
【００３６】
このようにＰＦＣ１４を安定して動作させることができると同時に、制御回路８の駆動電源をスイッチング電源回路２８の１次側出力から供給することにより、ＰＦＣ１４のチョークコイルに設けられた補助巻線が不要になるとともに、さらに電源投入から起動までの時間を短縮できるという効果も同時に得ることができる。
【００３７】
（実施の形態３）
次に、本発明の実施の形態３について、図６、図７を用いて説明する。
【００３８】
本実施の形態３においては、補助電源回路４２のスイッチングトランス５５の１次側のＰ２巻線の出力をスイッチ回路５７を介してスイッチング電源回路２８の１次側の制御回路１７に供給するように構成し、かつスイッチ回路のオンオフの動作をマイクロコンピュータ４３により制御するように構成したものである。すなわち、補助電源回路４２のスイッチングトランス５０のＰ２巻線とスイッチング電源回路２８の制御回路１７との間に、抵抗器５８，５９，６０とスイッチング素子６１とフォトカプラー６２とからなるスイッチ回路５７を配置し、かつフォトカプラー６２の発光素子側をスイッチング素子４４に直列に接続したものである。
【００３９】
ここで、図１の構成では、ＡＣ電源を供給すると同時に補助電源回路４２が動作し、スイッチングトランス５５のＰ２巻線出力を整流素子２９と平滑コンデンサ３０とにより整流平滑した電圧により制御回路１７が動作するため、その結果待機時の電力が増加してしまうが、実施の形態３においては、スイッチ回路５７を設けることにより、マイクロコンピュータ４３により図７に示すように、スイッチング素子４４がオンされない限り、制御回路１７に駆動電圧ＦＬＢＶｃｃが供給されることがないため、待機時の電力は従来のものと変わらない。マイクロコンピュータ４３によりスイッチング素子４４がオンされると、スイッチングトランス５５の出力整流素子２９と平滑コンデンサ３０とにより整流平滑した電圧がＦＬＢＶｃｃとして制御回路１７に供給され、上記実施の形態１と同じ動作を行うこととなる。
【００４０】
このようにスイッチ回路５７を設けることにより、待機時の電力を増やすことなく、ＰＦＣを安定して動作させることができるという効果を得ることができる。
【００４１】
（実施の形態４）
次に、本発明の実施の形態４について、図８、図９を用いて説明する。本実施の形態においては、実施の形態２の補助巻線のないチョークコイル５６を用いたＰＦＣ１４と、実施の形態３におけるスイッチ回路５７を設ける構成とを併用した例である。すなわち、本実施の形態によれば、スイッチ回路５７を設けることにより、図９に示すようにスイッチング素子４４がオンされない限り制御回路１７に駆動電圧ＦＬＢＶｃｃが供給されることがないため、待機時の電力は従来のものと変わらなく、また、マイクロコンピュータ４３によりスイッチング素子４４がオンされると、スイッチングトランス５５の出力を整流素子２９と平滑コンデンサ３０とにより整流平滑した電圧がＦＬＢＶｃｃとして制御回路１７に電圧が供給される。しかも、スイッチング電源回路２８の１次側のＰ２巻線出力を整流素子６のアノードに印加することにより、図９のように制御回路８の駆動電源ＰＦＣＶｃｃに、抵抗器５を介して供給される電圧とスイッチング電源回路２８が動作し始めることによって生じる１次側のＰ２巻線の電圧とが加えられることにより、ＰＦＣＶｃｃ起動までの時間ｔ１が短くなる。その結果、ＰＦＣ１４のスイッチング信号ＰＦＣＳＷが早く出力され、リレー制御信号ＲＬＯＮが“Ｈ”になってからＰＦＣ出力が安定するまでの時間ｔ１＋ｔ３は、実施の形態１に比べて短くなる。ＰＦＣ１４が起動した後の動作は実施の形態１と同じ動作となる。
【００４２】
このように実施の形態２とスイッチ回路５７を設ける構成を併用することにより、待機時の電力を増やすことなくＰＦＣ１４を安定して動作させることができ、しかもＰＦＣ１４のチョークコイルに設けられた補助巻線が不要になるとともに、電源投入から負荷回路の起動までの時間を短縮できるという効果も同時に得ることができる。
【００４３】
（実施の形態５）
次に、本発明の実施の形態５について、図１０、図１１を用いて説明する。本実施の形態においては、上記実施の形態４において、ＰＦＣ１４の制御回路８の駆動電源ＰＦＣＶｃｃをスイッチ回路５７の出力に接続したものである。この構成とすることにより、図１１のように制御回路１７の駆動電源ＦＬＢＶｃｃと同時に、制御回路８の駆動電源ＰＦＣＶｃｃが印加されるため、ＰＦＣ１４が起動する時間に相当するｔ１がなくなり、図１１の破線で示す従来のプラズマディスプレイ用電源回路のタイミングチャートに比べて、大幅に時間を短縮することができる。
【００４４】
このように本実施の形態によれば、待機時の電力を増やすことなくＰＦＣ１４を安定して動作させることができ、ＰＦＣ１４のチョークコイルに設けられた補助巻線とＰＦＣ制御回路の起動抵抗及びＰＦＣ制御回路の駆動電源用整流素子が不要になるとともに、電源投入から負荷回路の起動までの時間を短縮できるという効果も同時に得ることができる。
【００４５】
【発明の効果】
以上の説明から明らかなように、本発明にかかるプラズマディスプレイ用電源回路によれば、ＰＦＣの後段に電力回生回路を有するスイッチング電源回路を設け、その制御回路の駆動電源を補助電源回路から供給することにより、ＰＦＣの負荷電力が無負荷になることを防ぐことで動作の安定性を向上できると同時に、起動時間の短縮を図ることができる。
【図面の簡単な説明】
【図１】本発明の実施の形態１におけるプラズマディスプレイ用電源回路の回路図
【図２】同電源回路のタイミングチャート
【図３】同電源回路の要部の動作波形図
【図４】本発明の実施の形態２におけるプラズマディスプレイ用電源回路の回路図
【図５】同電源回路のタイミングチャート
【図６】本発明の実施の形態３におけるプラズマディスプレイ用電源回路の回路図
【図７】同電源回路のタイミングチャート
【図８】本発明の実施の形態４におけるプラズマディスプレイ用電源回路の回路図
【図９】同電源回路のタイミングチャート
【図１０】本発明の実施の形態５におけるプラズマディスプレイ用電源回路の回路図
【図１１】同電源回路のタイミングチャート
【図１２】従来の電源回路の回路図
【図１３】同電源回路のタイミングチャート
【図１４】図１３の要部を拡大して示すタイミングチャート
【符号の説明】
１　交流電源
２　直流駆動リレー
８，１７，３５，５１　制御回路
９，１６，３６，４４，５２　スイッチング素子
１４　ＰＦＣ（力率改善回路）
２８　スイッチング電源回路
４２　補助電源回路
５０，５５　スイッチングトランス
【図１】
2004072814.tif 000003
【図２】
2004072814.tif 000004
【図３】
2004072814.tif 000005
【図４】
2004072814.tif 000006
【図５】
2004072814.tif 000007
【図６】
2004072814.tif 000008
【図７】
2004072814.tif 000009
【図８】
2004072814.tif 000010
【図９】
2004072814.tif 000011
【図１０】
2004072814.tif 000012
【図１１】
2004072814.tif 000013
【図１２】
2004072814.tif 000014
【図１３】
2004072814.tif 000015
【図１４】
2004072814.tif 000016